(57)【要約】【課題】任意の場所に容易に釣り竿受けを設置できるようにする。【解決手段】釣り竿受け用固定具は、底板１３と、１対の側壁（第１側壁１０）と、ねじ部２０とを備える。１対の第１側壁１０は、一辺が底板１３に接続され、互いに対向するように設けられる。筏等の木製板３にねじ込むためのねじ部２０は、底板１３に第１側壁１０と反対の方向に突出するように設けられる。第１側壁１０は、尻手ロープ６のフック部６０を引っ掛ける貫通孔１０１が設けられる。【選択図】図１
2015188446.tif 000002
【特許請求の範囲】
【請求項１】
底板と、側壁と、ねじ部とを備え、前記側壁は、一辺が前記底板に接続され、前記ねじ部は、前記底板に前記側壁と反対の方向に突出するように設けられていることを特徴とする釣り竿受け用固定具。
【請求項２】
１対の前記側壁を備え、前記１対の側壁は、互いに対向するように前記床板に接続されることを特徴とする請求項１記載の釣り竿受け用固定具。
【請求項３】
前記側壁が倒れ込むことを防止する防止部材を備えることを特徴とする請求項１または２に記載の釣り竿受け用固定具。
【請求項４】
前記側壁は、厚み方向に貫通する貫通孔を備えることを特徴とする請求項１〜３の何れか１項に記載の釣り竿受け用固定具。
【発明の詳細な説明】
【技術分野】
【０００１】
本発明は、釣り竿受け用固定具に関するものである。
【背景技術】
【０００２】
従来、釣り竿を手で支えることなく保持するために、釣り竿保持具（釣り竿受け）が提供されている。このような釣り竿保持具は、前後一対の竿受け部と、船縁を把持する１対の取付部とを備える（例えば、特許文献１参照）。また、この取付部は、水平方向から船縁を挟み込むように形成され、船縁の幅に合わせて自在に調整可能である。
【先行技術文献】
【特許文献】
【０００３】
【特許文献１】特開２００３−２０４７４８号公報
【発明の概要】
【発明が解決しようとする課題】
【０００４】
ところで、従来例のような釣り竿受けは、保持具が船縁等を把持することを前提としている。したがって、筏のように、保持具が把持可能な台等が用意されていない場所では釣り竿受けが使用できなかった。なお、釣り用筏においては、保持具が把持可能な台が設けられる場合もある。しかしながら、このような台は筏に固定されて移動させることができないので、釣りをする場所が自由に選べないという問題がある。
【０００５】
本発明は、上記事由に鑑みて為されたものであり、任意の場所に容易に釣り竿受けを設置できるようにすることを目的とする。
【課題を解決するための手段】
【０００６】
請求項１の発明は、底板１３と、側壁（第１側壁１０）と、ねじ部２０とを備え、側壁は、一辺が底板１３に接続され、ねじ部２０は、底板１３に側壁と反対の方向に突出するように設けられていることを特徴とする。
【０００７】
請求項２の発明は、請求項１の発明において、１対の側壁（第１側壁１０）を備え、１対の側壁は、互いに対向するように底板１３に接続されることを特徴とする。
【０００８】
請求項３の発明は、請求項１又は２の発明において、側壁（第１側壁１０）が倒れ込むことを防止する防止部材（第２側壁１１、天板１２）を備えることを特徴とする。
【０００９】
請求項４の発明は、請求項１〜３の何れかの発明において、側壁（第１側壁１０）は、厚み方向に貫通する貫通孔１０１を備えることを特徴とする。
【発明の効果】
【００１０】
請求項１の発明によれば、持ち運びでき、且つ筏等の木材に木ねじをねじ込むことで容易に取り付けることができるので、任意の場所に容易に釣り竿受けを設置できるという効果がある。
【００１１】
請求項２の発明によれば、側壁が１つしかない場合よりもねじ部をねじ込む際の作業性が向上できるという効果がある。
【００１２】
請求項３の発明によれば、防止部材を設けることで、側壁が補強され、釣り竿受けを固定した場合、側壁が倒れ難いという効果がある。
【００１３】
請求項４の発明によれば、尻手ロープの端に設けられたフックを貫通孔に引っ掛けることにより、釣り竿が海に落ちるのを防ぐことができるという効果がある。
【図面の簡単な説明】
【００１４】
【図１】本発明における釣り竿受け用固定具の実施形態を示し、図１Ａは正面図、図１Ｂは右側面図、図１Ｃは平面図、図１Ｄは底面図である。
【図２】同上の使用状態を説明する説明図である。
【発明を実施するための形態】
【００１５】
以下、釣り竿受け用固定具の実施形態について図１、図２を参照しながら詳細に説明する。
【００１６】
初めに、実施形態の釣り竿受け用固定具（以下、固定具と略す。）の構造について、図１を参照して説明する。
【００１７】
固定具は、本体１と、ねじ部２０とで構成される。本体１は、底板１３と、１対の側壁（第１側壁１０）と、天板１２とを有する。底板１３、第１側壁１０、天板１２の何れも、ステンレス鋼等、海水が付着しても錆び難い素材によって、矩形板状に形成される。
【００１８】
底板１３は、ねじ取付孔１３１と、水抜き孔１３２とを備える。本実施形態において、ねじ部２０を底板１３に接続するにあたり、木ねじ２を使用する。ねじ取付孔１３１は、底板１３の中心部に貫通する。ねじ取付孔１３１は、木ねじ２を取り付けるための孔であり、ねじ取付孔１３１の径は、木ねじ２のねじ頭部（図示せず）よりも小さく、且つねじ部２０よりも大きく形成される。ただし、ねじ取付孔１３１は、上記の通り、木ねじ２のような部材を取り付けるために必要な孔であって、ねじ部２０だけが溶接等で底板１３に接続される場合は、底板１３に設けられる必要はない。
【００１９】
水抜き孔１３２は、本体１の内部に入り込んだ海水等を排出するため、底板１３の対角線上に位置する角近辺の２か所に形成される。
【００２０】
第１側壁１０は、底板１３の長辺に、一辺が底板１３と垂直になるように接続される。第１側壁１０は、後に説明する釣り竿受け４の土台４１２と支柱４２とが接する。
【００２１】
なお、本体１は、もう一対の側壁（第２側壁１１）を有する。第２側壁１１は、底板１３の短辺に、第１側壁１０が接続されている側に接続される。第２側壁１１は、第１側壁１０と同じ高さを持つ板状に形成され、第１側壁１０と隣り合う両辺が、第１側壁１０と接続されている。第２側壁１１は、各第１側壁１０が、他方の第１側壁１０に向かって倒れ込むことを防止する防止部材として設けられている。また、天板１２も防止部材として本体１に設けられている。ただし、防止部材は、第２側壁１１及び天板１２の代わりに、例えば、棒状に形成され第１側壁１０の間に、第１側壁１０同士を支えるような構造の部材でも良い。また、防止部材は、例えば、直角三角形の板状に形成され、直角を挟む両辺を第１側壁１０と底板１３に接続される部材でも良い。つまり、防止部材は、第１側壁１０を補強する目的であれば、その構造は限定されない。
【００２２】
本実施形態において、第１側壁１０及び第２側壁１１は、所謂尻手ロープ６のフック部６０を引っ掛けるために、厚み方向に貫通する貫通孔１０１，１１１を有する。貫通孔１０１，１１１は、第１側壁１０と第２側壁１１とが接続する辺に近接する部分８か所に設けられる。且つ、貫通孔１０１，１１１は、各第１側壁１０及び各第２側壁１１の高さの中心部と、その中心部と底板１３までの距離の中間の位置に設けられる。貫通孔１０１，１１１は、フック部６０が引っ掛かりやすいように略半円の形状をしており、略半円形の直線部が第１側壁１０と第２側壁１１とが接続する辺と平行になるように設けられている。貫通孔１０１，１１１は、フック部６０が通る大きさ、且つ本体１の強度を極端に下げる形状でなければどのような形状であっても構わない。
【００２３】
フック部６０は、貫通孔１０１から挿入され、貫通孔１１１から抜き出され、本体１に引っ掛けて取り付けられる。なお、フック部６０は、貫通孔１１１から挿入され、貫通孔１０１から抜き出されても良い。
【００２４】
本体１は、第２側壁１１と天板１２とを備えることで直方体状に形成される。本体１が直方体状に形成されることにより、強度の向上が図られる。
【００２５】
木ねじ２は、ステンレス鋼等の錆び難い素材で形成され、底板１３の下面に突出している。木ねじ２のねじ部２０は、底板１３の片面（上面）側から、底板１３のねじ取付孔１３１に挿通される。ねじ部２０は、木ねじ２の頭部が底板１３の上面に当たるまで下面に押し出される。木ねじ２は、頭部が底板１３の上面に溶接されて、一体化される。
【００２６】
次に、本実施形態の固定具の製造方法を説明する。
【００２７】
底板１３は、上記で説明した通り、木ねじ２と予め一体化される。第１側壁１０及び第２側壁１１は、押出成形によって角筒状に形成された部材からなる。天板１２は、前記部材の開口された両端の一端に溶接される。底板１３は、もう一端に、ねじ部２０が部材の外側に突出するように溶接される。
【００２８】
ところで、固定具を使用しない場合、ねじ部２０は、保護部材（図示せず）が装着される。保護部材は、ねじ部２０の損傷、及びねじ部２０による他部材の損傷を防止することができる。保護部材は、例えば、軟質ポリ塩化ビニル等の材料で有底筒状に形成されてねじ部２０に着脱可能に被せられる。ただし、保護部材の素材及び形状については、上述のものに限定されない。
【００２９】
最後に、釣り竿受け４と本実施形態の固定具の使用方法について、図２を参照して説明する。本実施形態で説明する釣り竿受け４の形状は１例であり、釣り竿受け４の形状はこれに限定されない。
【００３０】
釣り竿受け４は、保持部４０と、釣り竿固定部４４とを備える。保持部４０は、Ｌ型躯体４１と、支柱４２と、締め付けねじ４３とを備える。Ｌ型躯体４１は、支柱４２と向き合う土台４１２と、釣り竿固定部４４を接続する土台４１１とを備える。釣り竿固定部４４は、土台４１１の上部に接続され、釣り竿保持部４４１，４４２の２か所で釣り竿５を支える。
【００３１】
まず、利用者は、木ねじ２のねじ部２０の先端を、筏等の木製板３に対して垂直になるように押し当て、本体１を右向きに回すことで、ねじ部２０を、木製板３にねじ込めば良い。
【００３２】
次に、利用者は、本体１を挟み込むように釣り竿受け４の土台４１２と支柱４２を設置する。この時、土台４１２と支柱４２は、各第１側壁１０と対面するように設置される。利用者は、釣り竿受け４の締め付けねじ４３を右向きに回す。利用者は、第１側壁１０と締め付けねじ４３が接触するまで、締め付けねじ４３を回し、釣り竿受け４を本体１に固定する。
【００３３】
さらに、利用者は、釣り竿固定部４４の釣り竿保持部４４１，４４２に釣り竿５を支持させる。
【００３４】
最後に、利用者は、釣り竿５の落下を防止するために、釣り竿５の尻手に面ファスナー６１で尻手ロープ６を固定する。さらに、利用者は、フック部６０を、第１側壁１０と第２側壁１１の貫通孔１０１，１１１に通して引っ掛ける。
【００３５】
したがって、本実施形態の固定具は、任意の場所に容易に釣り竿受け４を設置できる。また、固定具は、本体１を手で持って右回りに回転させることで、木ねじ２をねじ込むことができるので、工具を必要とせず容易に固定することができる。さらに、固定具は、貫通孔１０１，１１１を設け、尻手ロープ６の端に設けられたフック部６０を貫通孔１０１，１１１に引っ掛けることにより、釣り竿５が海に落ちるのを防ぐことができる。固定具に貫通孔１０１，１１１がない場合、フック部６０を引っ掛ける場所を探す必要がある。しかしながら、本実施形態の固定具は貫通孔１０１，１１１が設けられているので、フック部６０を貫通孔１０１，１１１に挿通して引っ掛けることができる。
【符号の説明】
【００３６】
１０  側壁（第１側壁）
１０１  貫通孔
１１１  貫通孔
１１  防止部材（第２側壁）
１２  防止部材（天板）
１３  底板
２  木ねじ
２０  ねじ部
【図１】
2015188446.tif 000003
【図２】
2015188446.tif 000004